(57)【要約】【課題】熱処理後における鋼板の変形を十分に抑制することが可能な熱処理鋼板の製造方法、及び鋼板の冷却装置を提供すること。【解決手段】ＡＣ３変態点以上に加熱された鋼板Ｗをローラ群２で搬送しながら冷却を行なう鋼板冷却装置１であって、前記ローラ群２を構成するローラ対Ｒの少なくとも一部は、前記鋼板Ｗを挟圧する方向に独立して駆動され、前記独立して駆動される挟圧開始ローラＲ1のうち、通板方向の上流側にあり前記変態開始位置Ｐ１の最も近傍に配置された挟圧開始ローラＲＡから前記鋼板の変態終了位置Ｐ２よりも下流側の挟圧終了ローラＲＢに搬送されるまで前記鋼板Ｗを挟圧し、前記挟圧開始ローラＲＡよりも上流側に配置されたローラ対Ｒは、前記鋼板Ｗとの間に間隙Ｋが形成されるように構成されていることを特徴とする。【選択図】図２
2019183243.tif 000002
【特許請求の範囲】
【請求項１】
ＡＣ３変態点以上に加熱された鋼板を上下で対をなす複数のローラ対からなるローラ群で搬送しながら冷却して熱処理する熱処理鋼板の製造方法であって、
前記鋼板の変態開始位置の通板方向上流側にあり前記変態開始位置に最も近いローラ対から前記鋼板の変態終了位置の通板方向下流側にあり前記変態終了位置に最も近いローラ対までの間は、前記鋼板をローラ対により挟圧して冷却し、
前記挟圧を開始するローラ対よりも通板方向上流側は、ローラ対と前記鋼板との間に間隙を形成して冷却することを特徴とする熱処理鋼板の製造方法。
【請求項２】
ＡＣ３変態点以上に加熱された鋼板を上下で対をなす複数のローラ対からなるローラ群で搬送しながら冷却して熱処理する熱処理鋼板の製造方法であって、
前記鋼板の変態開始位置よりも通板方向の上流側にあり前記変態開始位置の最も近傍に配置されたローラ対から前記鋼板の変態終了位置よりも前記通板方向の下流側に搬送されるまで、ローラ対により前記鋼板を挟圧して冷却し、
前記変態開始位置側において挟圧を開始するローラ対よりも前記通板方向の上流側では、前記通板方向におけるピッチを前記挟圧に用いるローラ対よりも長く設定したローラ対によって上下から挟んで負荷を与えた状態で冷却することを特徴とする熱処理鋼板の製造方法。
【請求項３】
請求項１又は請求項２に記載の熱処理鋼板の製造方法であって、
前記鋼板に対する挟圧力を、対応するローラ間のギャップにより制御することを特徴とする熱処理鋼板の製造方法。
【請求項４】
ＡＣ３変態点以上に加熱された鋼板を上下で対をなす複数のローラ対からなるローラ群で搬送しながら冷却を行なう鋼板冷却装置であって、
前記鋼板の変態開始位置よりも通板方向の上流側にあり前記変態開始位置の最も近傍に配置されたローラ対から前記鋼板の変態終了位置よりも前記通板方向の下流側に搬送されるまでの間に配置されたローラ対により、前記鋼板を挟圧して冷却し、
前記変態開始位置側において挟圧を開始するローラ対よりも前記通板方向の上流側のローラ対は、前記鋼板との間に間隙が形成されるように構成されていることを特徴とする鋼板冷却装置。
【請求項５】
ＡＣ３変態点以上に加熱された鋼板を上下で対をなす複数のローラ対からなるローラ群で搬送しながら冷却を行なう鋼板冷却装置であって、
前記鋼板の変態開始位置よりも通板方向の上流側にあり前記変態開始位置の最も近傍に配置されたローラ対から前記鋼板の変態終了位置よりも前記通板方向の下流側に搬送されるまでの間に配置されたローラ対により、前記鋼板を挟圧して冷却し、
前記変態開始位置側において挟圧を開始するローラ対よりも前記通板方向の上流側のローラ対は、前記通板方向におけるピッチを前記挟圧に用いるローラ対よりも長く設定されていることを特徴とする鋼板冷却装置。
【請求項６】
請求項４又は請求項５に記載の鋼板冷却装置であって、
前記鋼板に対する挟圧力を、対応するローラ間のギャップにより制御するように構成されていることを特徴とする鋼板冷却装置。
【請求項７】
請求項４から請求項６のいずれか１項に記載の鋼板冷却装置であって、
前記ローラ群を構成するローラ対のうち、前記鋼板の変態開始位置から変態終了位置までの間に位置するローラ対は、前記鋼板を挟圧する方向に独立して前記ローラを駆動するように構成されていることを特徴とする鋼板冷却装置。
【発明の詳細な説明】
【技術分野】
【０００１】
この発明は、加熱された鋼板を複数のローラ対からなるローラ群により搬送しながら冷却を行うことにより、所定の特性を有する熱処理鋼板を製造する熱処理鋼板の製造方法、及びこの熱処理鋼板の製造方法に適した鋼板冷却装置に関するものである。
【背景技術】
【０００２】
上述の熱処理鋼板は、鋼板を加熱して所定の冷却速度で冷却することによって製造されることになる。例えば、炭素鋼を９００℃程度に加熱し、冷却速度５０℃/ｓｅｃ以上で冷却することで、マルテンサイト組織からなる高強度の熱処理鋼板を得ることが可能となる。
ここで、鋼板（特に厚さ３ｍｍ以上の厚鋼板）の熱処理には、非特許文献１、２に開示されている熱処理設備が用いられている。この非特許文献１，２においては、加熱炉で鋼板を加熱し、ローラクエンチ装置によって鋼板の冷却を行う構成とされている。
【０００３】
ローラクエンチ装置は、加熱炉において所定の温度にまで加熱された鋼板を、例えば、対向するローラからなるピンチロールで挟んで搬送し、スプレー等から噴射される冷却水によって鋼板を急速冷却する装置である。このローラクエンチ装置においては、加熱炉側に配置されたＨｉＱ帯と、このＨｉＱ帯の後段側に配設されたＬｏＱ帯と、を備えており、ＨｉＱ帯では、多量の冷却水を高圧で噴射して強冷却を行い、ＬｏＱ帯では、比較的少量の冷却水を噴射して弱冷却を行う構成とされている。
【０００４】
ここで、ローラクエンチ装置等によって鋼板を冷却した場合には、鋼板に温度分布が生じることから、熱歪みによって鋼板が変形し、耳波や中波が発生することがある。例えば、厚さ１２ｍｍ以下の鋼板では、鋼板自体の剛性が不足することから、熱歪みや変態歪によって座屈変形しやすい。
非特許文献１に開示された熱処理設備においては、ローラクエンチ装置の後段側に、ローラレベラ装置を配置し、鋼板の形状を矯正している。しかしながら、上述のような、例えば、マルテンサイト組織からなる高強度の熱処理鋼板等においては、形状矯正を効率的に行うことができなかった。また、板厚が薄いものでは、十分に形状矯正を行うことができないといった問題があった。
【０００５】
そこで、特許文献１には、ローラクエンチ装置において、鋼板の搬送速度、鋼板の押し付け力またはロール締込み量を規定することによって、熱処理後の鋼板の変形防止を図る方法が提案されている。
【先行技術文献】
【特許文献】
【０００６】
【特許文献１】特開２００８−２３１４７６号公報
【非特許文献】
【０００７】
【非特許文献１】片岡ら；日本ステンレス技報，Ｎｏ．１８（１９８３），ｐ．１５３−１６２
【非特許文献２】竹内ら；石川島播磨技報，第２２巻第４号（１９８２），ｐ．２４５−２４９
【発明の概要】
【発明が解決しようとする課題】
【０００８】
ところで、特許文献１においては、鋼板の厚さに応じて鋼板の搬送速度を規定しているが、鋼板の搬送速度のみを規定しても冷却時における鋼板の変形を抑制することは不可能であった。また、ロールの締め込み量を規定しているが、冷却開始直後に鋼板が変形した場合には、ロールの締め込みと板厚・通板速度の効果だけでは変形を抑制・矯正することはできなかった。
このように、従来のローラクエンチ装置等を用いて鋼板を冷却した場合には、鋼板の変形を十分に抑制することはできなかった。
【０００９】
そこで、発明者らは、加熱した後に冷却して製造される熱処理鋼板について、冷却時に変態にともなう体積変化が生じる場合であっても、耳波や中波の発生を抑制することが可能な熱処理鋼板の製造技術を鋭意研究した結果、冷却時に外力あるいは応力をかけた状態で変態させて変態により生じる体積変化を内部応力とすることで、鋼板の面外変形を抑制可能であるとの知見を得た。
【００１０】
本発明は、このような事情に鑑みてなされたものであって、熱処理後における鋼板の変形を十分に抑制することが可能な熱処理鋼板の製造方法、及び鋼板の冷却装置を提供することを目的とする。
【課題を解決するための手段】
【００１１】
上記課題を解決するために、この発明は以下の手段を提案している。
請求項１に記載の発明は、ＡＣ３変態点以上に加熱された鋼板を上下で対をなす複数のローラ対からなるローラ群で搬送しながら冷却して熱処理する熱処理鋼板の製造方法であって、前記鋼板の変態開始位置の通板方向上流側にあり前記変態開始位置に最も近いローラ対から前記鋼板の変態終了位置の通板方向下流側にあり前記変態終了位置に最も近いローラ対までの間は、前記鋼板をローラ対により挟圧して冷却し、前記挟圧を開始するローラ対よりも通板方向上流側は、ローラ対と前記鋼板との間に間隙を形成して冷却することを特徴とする。
【００１２】
この発明に係る熱処理鋼板の製造方法によれば、鋼板の通板方向における鋼板の変態開始位置より上流側で挟圧を開始して、変態終了位置の下流側に搬送されるまでの間、変態している鋼板を挟圧して鋼板の変態に起因する体積変化を応力に変換するので、鋼板に面外変形（鋼板の面と直交する方向への変位）が発生するのを抑制することができる。また、変態開始位置の上流側にあり最も近傍に配置されたローラ対よりも通板方向の上流側に位置するローラ対に鋼板に対して間隙が形成されることにより通板方向の熱歪による塑性歪が応力が開放されて大きな面外変形が発生するものの、面外変形が大きなうねり状であるので、変態領域において挟圧することで平坦にすることができる。
その結果、冷却中、冷却後における鋼板の面外変形を抑制することができる。
【００１３】
この明細書において、変態開始位置とは、例えば、予め実験やシミュレーション等によって見出した、適応する熱処理鋼板の製造工程の通板方向において、鋼板の温度がＡＣ３変態点に到達する位置（変態開始が予定される位置を含む）をいう。
また、変態終了位置とは、同様に、例えば、予め実験やシミュレーション等によって見出した、適応する熱処理鋼板の製造工程の通板方向において変態が終了する位置（変態終了が予定される位置を含む）をいう。
また、この明細書において、挟圧とは、上下で対をなすローラ対の間隔を、（−０．１％板厚）〜（板厚＋２ｍｍ）に設定して、鋼板を通過させることをいう。
【００１４】
請求項２に記載の発明は、ＡＣ３変態点以上に加熱された鋼板を上下で対をなす複数のローラ対からなるローラ群で搬送しながら冷却して熱処理する熱処理鋼板の製造方法であって、前記鋼板の変態開始位置よりも通板方向の上流側にあり前記変態開始位置の最も近傍に配置されたローラ対から前記鋼板の変態終了位置よりも前記通板方向の下流側に搬送されるまで、ローラ対により前記鋼板を挟圧して冷却し、前記変態開始位置側において挟圧を開始するローラ対よりも前記通板方向の上流側では、前記通板方向におけるピッチを前記挟圧に用いるローラ対よりも長く設定したローラ対によって上下から挟んで負荷を与えた状態で冷却することを特徴とする。
【００１５】
この発明に係る熱処理鋼板の製造方法によれば、鋼板の通板方向における鋼板の変態開始位置より上流側で挟圧を開始して、変態終了位置の下流側に搬送されるまでの間、変態している鋼板を挟圧して鋼板の変態に起因する体積変化を応力に変換するので、鋼板に面外変形（鋼板の面と直交する方向への変位）が発生するのを抑制することができる。また、変態開始位置の最も近傍に配置されたローラ対よりも通板方向の上流側に位置するローラ対が、通板方向におけるピッチを挟圧に用いるローラ対よりも長く設定したローラ対によって上下から挟んで負荷を与えた状態で冷却するので、通板方向の熱歪による塑性歪が応力が大きな面外変形が発生するものの、面外変形が挟圧に用いるローラ対のピッチより大きなうねり状であるので、変態領域において挟圧することで平坦にすることができる。
【００１６】
請求項３に記載の発明は、請求項１又は請求項２に記載の熱処理鋼板の製造方法であって、前記鋼板に対する挟圧力を、対応するローラ間のギャップにより制御することを特徴とする。
【００１７】
この発明に係る熱処理鋼板の製造方法によれば、鋼板に対する挟圧力を対応するローラ間のギャップにより制御するので、ローラ間のギャップ、鋼板の板厚、挟圧される部位における鋼板の弾性力（反発力）等の特性に対応して、ローラ対の挟圧力を制御することができる。
【００１８】
請求項４に記載の発明は、ＡＣ３変態点以上に加熱された鋼板を上下で対をなす複数のローラ対からなるローラ群で搬送しながら冷却を行なう鋼板冷却装置であって、前記鋼板の変態開始位置よりも通板方向の上流側にあり前記変態開始位置の最も近傍に配置されたローラ対から前記鋼板の変態終了位置よりも前記通板方向の下流側に搬送されるまでの間に配置されたローラ対により、前記鋼板を挟圧して冷却し、前記変態開始位置側において挟圧を開始するローラ対よりも前記通板方向の上流側のローラ対は、前記鋼板との間に間隙が形成されるように構成されていることを特徴とする。
【００１９】
この発明に係る鋼板冷却装置によれば、鋼板の通板方向における鋼板の変態開始位置より上流側で挟圧を開始して、変態終了位置の下流側に搬送されるまでの間、変態している鋼板を挟圧して冷却することにより、鋼板の変態に起因する体積変化を応力に変換するので、鋼板に面外変形（鋼板の面と直交する方向への変位）が発生するのを抑制することができる。また、変態開始位置の最も近傍に配置されたローラ対よりも通板方向の上流側に位置するローラ対に鋼板に対して間隙が形成されることにより通板方向の熱歪による塑性歪が応力を開放させるので、大きな面外変形が発生するものの、面外変形が大きなうねり状であるので、変態領域において挟圧することで平坦にすることができる。その結果、冷却中、冷却後における鋼板の面外変形を抑制することができる。
【００２０】
請求項５に記載の発明は、ＡＣ３変態点以上に加熱された鋼板を上下で対をなす複数のローラ対からなるローラ群で搬送しながら冷却を行なう鋼板冷却装置であって、前記鋼板の変態開始位置よりも通板方向の上流側にあり前記変態開始位置の最も近傍に配置されたローラ対から前記鋼板の変態終了位置よりも前記通板方向の下流側に搬送されるまでの間に配置されたローラ対により、前記鋼板を挟圧して冷却し、前記変態開始位置側において挟圧を開始するローラ対よりも前記通板方向の上流側のローラ対は、前記通板方向におけるピッチを前記挟圧に用いるローラ対よりも長く設定されていることを特徴とする。
【００２１】
この発明に係る鋼板冷却装置によれば、鋼板の通板方向における鋼板の変態開始位置より上流側で挟圧を開始して、変態終了位置の下流側に搬送されるまでの間、変態している鋼板を挟圧して冷却することにより、鋼板の変態に起因する体積変化を応力に変換することにより、鋼板に面外変形（鋼板の面と直交する方向への変位）が発生するのを抑制することができる。
また、変態開始位置の最も近傍に配置されたローラ対よりも通板方向の上流側に位置するローラ対の通板方向におけるピッチが、挟圧に用いるローラ対の通板方向におけるピッチよりも大きく設定されていて、上流側に位置するピッチが大きいローラ対によって上下から挟んで負荷を与えて冷却するので、通板方向の熱歪による塑性歪により大きな面外変形が発生するものの、面外変形が挟圧に用いるローラ対のピッチより大きなうねり状であるので、変態領域において挟圧することで平坦にすることができる。
【００２２】
請求項６に記載の発明は、請求項４又は請求項５に記載の鋼板冷却装置であって、前記鋼板に対する挟圧力を、対応するローラ間のギャップにより制御するように構成されていることを特徴とする。
【００２３】
この発明に係る鋼板冷却装置によれば、鋼板に対する挟圧力を対応するローラ間のギャップにより制御するので、ローラ間のギャップ、鋼板の板厚、挟圧される部位における鋼板の弾性力（反発力）等の特性に対応して、ローラ対の挟圧力を制御することができる。
【００２４】
請求項７に記載の発明は、請求項４から請求項６のいずれか１項に記載の鋼板冷却装置であって、前記ローラ群を構成するローラ対のうち、前記鋼板の変態開始位置から変態終了位置までの間に位置するローラ対は、前記鋼板を挟圧する方向に前記ローラを独立して駆動するように構成されていることを特徴とする。
【００２５】
この発明に係る鋼板冷却装置によれば、ローラ群を構成するローラ対のうち、鋼板の変態開始位置から変態終了位置までの間に位置するローラ対が鋼板を挟圧する方向にローラを独立して駆動するように構成されているので、変態領域にある鋼板をローラ対により容易に挟圧することができ、ひいては鋼板に生じる面外変形を効率的に抑制することができる。
【発明の効果】
【００２６】
この発明に係る熱処理鋼板の製造方法及び鋼板冷却装置によれば、鋼板の変態に起因する体積変化を応力に変換することにより、鋼板と直交する方向への変位が抑制され、ＡＣ３変態開始位置よりも通板方向の下流側における鋼板の面外変形を抑制することができる。その結果、鋼板が変態領域における面外変形を矯正する必要性を軽減することができる。
また、この発明に係る鋼板冷却装置によれば、大きな面外変形が発生するものの、面外変形が大きなうねり状であるので、変態領域において挟圧することで平坦にすることができる。
【図面の簡単な説明】
【００２７】
【図１】本発明の第１の実施形態に係る鋼板冷却装置の概略構成を示す図である。
【図２】第１の実施形態に係る鋼板冷却装置の各製造工程における作用を説明する図である。
【図３】第１の実施形態に係る熱処理鋼板の製造工程を示すフローチャートである。
【図４】本発明の第２の実施形態に係る鋼板冷却装置の概略構成を示す図である。
【図５】第２の実施形態に係る鋼板冷却装置の各製造工程における作用を説明する図である。
【図６】第２の実施形態に係る熱処理鋼板の製造工程を示すフローチャートである。
【図７】第２の実施形態に係る熱処理鋼板の製造工程の作用を説明する図である。
【発明を実施するための形態】
【００２８】
以下、図１〜図３を参照して、本発明の第１の実施形態について説明する。
図１は第１の実施形態に係る鋼板冷却装置の概略構成を示す図であり、符号１は、鋼板冷却装置を示している。又、図２は、鋼板冷却装置１の詳細構成及び作用を説明する図であり、図３は、鋼板冷却装置１による熱処理鋼板の製造工程の概略を示すフローチャートである。
【００２９】
鋼板冷却装置１は、図１に示すように、ローラ群２と、水冷ノズル４と、鋼板Ｗの温度を検出する温度センサＴと、制御部（不図示）とを備えており、例えば、オフラインで、加熱炉１０によって、ＡＣ３変態点以上に加熱された鋼板Ｗを冷却して熱処理して熱処理鋼板を製造するものである。また、鋼板冷却装置１は、鋼板Ｗが矢印Ｊ方向（以下、通板方向Ｊという）に搬送され、鋼板Ｗは搬入ローラＲＩにより搬入されるように構成されている。また、鋼板冷却装置１は、上流側から下流側に向かって、無負荷区間ＺＦ、挟圧区間ＺＰ、無負荷区間ＺＦがこの順に形成されている。
なお、通板方向の下流側とは鋼板冷却装置１のいずれかの位置に対して鋼板搬出側を意味し、通板方向の上流側とは鋼板搬入側を意味する。
【００３０】
ローラ群２は、複数のローラ対Ｒを備えていて、各ローラ対Ｒは、上側ローラＲ１と、下側ローラＲ２とを有し、上側ローラＲ１と下側ローラＲ２とは上下で一対をなしている。
また、ローラ群２を構成するローラのうち、少なくとも鋼板の変態開始位置から変態終了位置までの間に位置するローラは、鋼板を挟圧する方向に独立して駆動可能とされている。また、ローラ群２を構成するローラＲは、例えば、直径φ２００ｍｍ、ロールピッチが３００ｍｍとされている。なお、ローラ径及びピッチは、これに限定されるものではない。
この実施形態において、変態開始位置Ｐ１及び変態終了位置Ｐ２は、例えば、予め実験、又はシミュレーション等により検証され、鋼板Ｗの厚さ、幅ごとに設定されている。
【００３１】
この実施形態においては、各ローラ対Ｒを構成するすべての上側ローラＲ１は、アクチュエータ（例えば、油圧シリンダ等）に連結されていて、制御部からの指示により上下方向に昇降可能かつ下側ローラＲ２とともに鋼板Ｗを挟圧可能に構成されている。なお、変態開始位置から変態終了位置までの上側ローラＲ１の駆動は、同期可能であることが好適である。
なお、変態開始位置及び変態終了位置が変動せず既知である場合には、変態開始位置の上流側において変態開始位置に最も近接するローラ対から変態終了位置の下流側において変態終了位置に最も近接するローラ対までのローラ対が一体に駆動される構成としてもよい。
なお、上側ローラＲ1の下降及び上側ローラＲ1による鋼板Ｗの挟圧を、油圧シリンダ以外のアクチュエータにより行ってもよい。
【００３２】
また、上側ローラＲ1と下側ローラＲ２とは、図２に示すように、制御部により相互間のギャップ（上側ローラＲ1と下側ローラＲ２の内側間隔）Ｇを調整可能とされていて、上側ローラＲ１と下側ローラＲ２のギャップＧを調整することにより、ローラ対Ｒと鋼板Ｗとの間隙の設定、鋼板Ｗに対して上側ローラＲ１を接触させつつ（間隙を形成せず）挟圧力を付与しない無負荷の設定、鋼板Ｗを挟圧する設定が可能とされている。
また、上側ローラＲ1と下側ローラＲ２により鋼板Ｗを挟圧する場合には、挟圧開始位
置、挟圧終了位置、挟圧力等を設定可能とされている。
【００３３】
この実施形態において、挟圧開始ローラＲＡよりも通板方向Ｊの上流側に位置するローラ対Ｒの上側ローラＲ１は、鋼板Ｗとの間に間隙Ｋが形成されている。
【００３４】
なお、この実施形態において、無負荷状態とは、ローラ対Ｒと鋼板Ｗとの間隙の設定して鋼板Ｗに挟圧力を付与しない場合のほか、上側ローラＲ１が鋼板Ｗと接触して鋼板Ｗとの間に間隙が設定されていなくても鋼板Ｗに挟圧力を付与していない場合は含まれるものとする。また、ＡＣ３変態点以上において無負荷状態で冷却することを無負荷冷却といい、鋼板Ｗを無負荷で通板する区間を無負荷区間というものとする。
【００３５】
水冷ノズル４は、各ローラ対Ｒが隣接して形成される間隙に配置されていて、鋼板Ｗに対して上下方向から冷却水を噴射して、鋼板Ｗが所定の冷却勾配で冷却されるように構成されている。
【００３６】
温度センサＴは、例えば、ローラ群２の変態開始位置Ｐ１と対応する位置に設けられ、搬送される鋼板Ｗの温度を検出するようになっている。
【００３７】
制御部（不図示）は、例えば、温度センサＴが検出した鋼板Ｗの温度に基づいて、変態開始位置Ｐ１及び変態終了位置Ｐ２（挟圧区間ＺＰ）を算出し、変態開始位置Ｐ１よりも鋼板Ｗの通板方向Ｊの上流側にあり変態開始位置Ｐ１の最も近傍に配置された上側ローラＲ1（挟圧開始ローラＲＡ）から、変態終了位置Ｐ２よりも通板方向Ｊの下流側にあり変態終了位置Ｐ２の最も近傍に配置された上側ローラＲ1（挟圧終了ローラＲＢ）で定まる挟圧区間ＺＰにおいて、鋼板Ｗの挟圧を実施するようになっている。
【００３８】
制御部における変態開始位置Ｐ１及び変態終了位置Ｐ２の算出は、例えば、予め測定した鋼材冷却装置の冷却能力及び鋼材の性質（例えば、冷却時の温度勾配等）に基づいて算出した鋼材冷却装置内での鋼材Ｗの温度変化と、鋼材の変態温度域とを参照して、推定、決定するように構成されている。
【００３９】
制御部は、挟圧開始ローラＲＡから挟圧終了ローラＲＢまで挟圧区間ＺＰに配置されたすべての上側ローラＲ１を下降させて、鋼板Ｗに所定の挟圧力（例えば、２０ＭＰａ以上）を負荷することで、変態開始位置Ｐ１と変態終了位置Ｐ２の間を含む挟圧区間ＺＰにおいて、鋼板Ｗが挟圧されるようになっている。
【００４０】
また、この実施形態において、制御部は、挟圧開始ローラＲＡよりも通板方向Ｊの上流側に位置する変態前の無負荷区間ＺＦに配置された上側ローラＲ１と、挟圧終了ローラＲＢよりも通板方向Ｊの下流側に位置する変態後の無負荷区間ＺＦに配置された上側ローラＲ１を、鋼板Ｗとの間に間隙Ｋが形成される高さに保持するようになっている。
【００４１】
次に、図２、図３を参照して、鋼板冷却装置１の作用及び熱処理鋼板の製造工程について説明する。図３は、第１の実施形態に係る熱処理鋼板の製造工程を示すフローチャートである。図３において、四角枠は制御部からの指示によるものを、長円は製造工程において現れる作用を示している。
【００４２】
（１）まず、加熱炉１０において、ＡＣ３変態点以上に加熱された鋼板Ｗが搬出される（Ｓ０）。
（２）次に、加熱炉１０から搬出された鋼板Ｗが、搬入ローラＲＩにより鋼板冷却装置１のローラ群２に搬入される（Ｓ１）。
（３）鋼板冷却装置１において、ローラ群２により搬送される鋼板Ｗは各ローラ対Ｒとの間に間隙Ｋが形成されているので、ＡＣ３変態点以上の無負荷区間ＺＦにおいて無負荷冷却される（Ｓ２）。
（４）制御部（不図示）は、温度センサＴが検出した鋼板Ｗの温度に基づいて、変態開始位置Ｐ１、変態終了位置Ｐ２（挟圧区間ＺＰ）を算出する（Ｓ３）。
（５）制御部は、予め設定された変態開始位置が制御部から指示されて、挟圧区間ＺＰに配置された上側ローラＲ1を下降させて、変態開始位置Ｐ１〜変態終了位置Ｐ２までの範囲において鋼板Ｗを挟圧する（Ｓ４）。
（６）鋼板ＷがＡＣ３変態点に到達し、ＡＣ３変態が開始する（Ｓ５）。変態開始位置Ｐ１において、鋼板Ｗは挟圧されている。
（７）鋼板ＷのＡＣ３変態が終了する（Ｓ６）。変態終了位置Ｐ２では、鋼板Ｗは挟圧されている。
（８）鋼板ＷのＡＣ３変態が終了した直後の上側ローラＲＢは下降されて鋼板Ｗを挟圧しており、上側ローラＲＢを通過したら挟圧領域が終了する（Ｓ７）。
（９）鋼板冷却装置１において、変態終了後の無負荷区間ＺＦでは、ローラ群２により搬送される鋼板Ｗは各ローラ対Ｒとの間に間隙Ｋが形成されていて、鋼板Ｗは無負荷冷却される（Ｓ８）。
（１０）搬出ロール（不図示）により、鋼板Ｗが鋼板冷却装置１から搬出される（Ｓ９）。
（１１）鋼板Ｗの冷却が終了する（Ｓ１０）。
【００４３】
鋼板冷却装置１によれば、挟圧開始ローラＲＡと挟圧終了ローラＲＢ間の挟圧区間ＺＰで、ローラ対Ｒにより鋼板Ｗを挟圧して鋼板Ｗの変態に起因する体積変化を応力に変換するので、鋼板Ｗに面外変形（鋼板の面と直交する方向への変位）が発生するのを抑制することができる。また、変態開始ローラＲＡよりも上流側に位置するローラ対Ｒに鋼板に対して間隙Ｋが形成されているので、通板方向の熱歪による塑性歪が応力を開放して大きな面外変形が発生するものの、面外変形が大きなうねり状であるので、挟圧区間ＺＰにおいて挟圧することで鋼板Ｗを平坦にすることができる。
【００４４】
また、鋼板冷却装置１によれば、鋼板Ｗに対する挟圧力を、上側ローラＲ１と下側ローラＲ２間のギャップＧにより制御するので、鋼板Ｗに対する挟圧力を効率的に制御することができる。
【００４５】
次に、図４〜図７を参照して、本発明の第２の実施形態について説明する。
図４は第２の実施形態に係る鋼板冷却装置の概略構成を示す図であり、符号１Ａは、鋼板冷却装置を示している。又、図５は、鋼板冷却装置１Ａの詳細構成を説明する図であり、図６は、鋼板冷却装置１Ａによる熱処理鋼板の製造工程の概略を示すフローチャートであり、図７は、鋼板冷却装置１Ａによる熱処理鋼板の製造工程における作用の概略を説明する図である。
【００４６】
鋼板冷却装置１Ａは、図４に示すように、ローラ群２Ａと、水冷ノズル４と鋼板Ｗの温度を検出する温度センサＴと、制御部（不図示）とを備えており、例えば、オフラインで、加熱炉１０によって、ＡＣ３変態点以上に加熱された鋼板Ｗを冷却して熱処理して熱処理鋼板を製造するものである。また、鋼板冷却装置１Ａは、鋼板Ｗが通板方向Ｊに搬送され、鋼板Ｗは搬入ローラＲＩにより搬入されるように構成されている。また、鋼板冷却装置１Ａは、上流側から下流側に向かって、予備挟圧区間ＺＧ、挟圧区間ＺＰ、無負荷区間ＺＦがこの順に形成されている。ここで、予備挟圧とは、挟圧に用いるローラ対よりも長ピッチに配置された予備挟圧ローラ対（長ピッチローラ対）により鋼板を挟圧することをいう。
【００４７】
ローラ群２Ａは、それぞれ上側ローラＲＧ１と下側ローラＲＧ２で一対とされた複数の予備挟圧ローラ対ＲＧと、それぞれ上側ローラＲ１と下側ローラＲ２で一対とされた複数のローラ対Ｒとを備えている。また、予備挟圧ローラ対ＲＧのロールピッチは、ローラ対Ｒのロールピッチよりも長く設定されている。
【００４８】
各予備挟圧ローラ対ＲＧのロールピッチは、ローラ対Ｒのロールピッチ（例えば、３００ｍｍ）に対して、整数倍とならない寸法にて長いピッチで設定された予備挟圧区間ＺＧをなしていて、ローラ対Ｒが予備挟圧ローラ対ＲＧで発生した面外変形の位相とずれるように構成されている。予備挟圧ローラ対ＲＧのロールピッチは、ローラ対Ｒのロールピッチに対して、例えば、１．２倍〜２倍未満とすることが好適である。
また、ローラ群２Ａを構成するローラのうち、少なくとも鋼板Ｗの変態開始位置から変態終了位置までの間に位置するローラ対Ｒは、鋼板を挟圧する方向に独立して駆動可能とされている。
【００４９】
この実施形態においては、各ローラ対Ｒを構成するすべての上側ローラＲ１は、アクチュエータ（例えば、油圧シリンダ等）に連結されていて、制御部からの指示により上下方向に昇降可能かつ下側ローラＲ２とともに鋼板Ｗを挟圧可能に構成されている。なお、変態開始位置から変態終了位置までの上側ローラＲ１の駆動は、同期可能であることが好適である。
なお、変態開始位置Ｐ１と変態終了位置Ｐ２のいずれか一方が変動する場合には、挟圧開始ローラＲＡや挟圧終了ローラＲＢを担う上側ローラＲ１を変更してもよい。また、変態開始位置Ｐ１及び変態終了位置Ｐ２に基づく挟圧開始ローラＲＡ及び挟圧終了ローラＲＢが、変動しない場合には、挟圧区間ＺＰを構成する上側ローラＲ１が一体に駆動される構成としてもよい。
【００５０】
また、各予備挟圧ローラ対ＲＧを構成する上側ローラＲＧ1と下側ローラＲＧ２、及び上側ローラＲ1と下側ローラＲ２とは、図５に示すように、制御部により相互間のギャップ（上側ローラＲＧ1と下側ローラＲＧ２、及び上側ローラＲ1と下側ローラＲ２の内側間隔）Ｇを調整可能とされていて、ギャップＧを調整することにより、各予備挟圧ローラ対ＲＧ及び各ローラ対Ｒと鋼板Ｗとの間隙が設定可能とされ、鋼板Ｗに対して上側ローラＲ１を接触させつつ（間隙を形成せず）挟圧力を付与しない無負荷の設定、鋼板Ｗを挟圧する設定が可能とされている。
また、上側ローラＲ1と下側ローラＲ２により鋼板Ｗを挟圧する場合には、挟圧開始位置、挟圧終了位置、挟圧力等を設定可能とされている。
【００５１】
水冷ノズル４は、ローラ群２Ａを構成している予備挟圧ローラ対ＲＧ及びローラ対Ｒの間に配置されていて、鋼板Ｗに対して上下方向から冷却水を噴射して、鋼板Ｗが所定の冷却勾配で冷却されるように構成されている。
温度センサＴは、鋼板Ｗの温度を確認するようになっている。
【００５２】
次に、図５〜図７を参照して、鋼板冷却装置１Ａの作用及び熱処理鋼板の製造工程について説明する。図５は、鋼板冷却装置１Ａの詳細構成を説明する図であり、図６は、鋼板冷却装置１Ａによる熱処理鋼板の製造工程の概略を示すフローチャートであり、図７は、鋼板冷却装置１Ａによる熱処理鋼板の製造工程における作用の概略を説明する図である。
図６において、四角枠は制御部からの指示によるものを、長円は製造工程において現れる作用を示している。
【００５３】
（１）まず、加熱炉１０において、鋼板ＷがＡＣ３変態点以上に加熱されて搬出される（Ｓ０）。
（２）次に、加熱炉１０から搬出された鋼板Ｗが、搬入ローラＲＩにより鋼板冷却装置１Ａのローラ群２Ａに搬入される（Ｓ１１）。
（３）予備挟圧区間ＺＧにおいて、鋼板Ｗをピッチが広く設定された予備挟圧ローラ対ＲＧによる挟圧を開始する（Ｓ１２）。
（４）鋼板冷却装置１Ａにおいて、ＡＣ３変態点以上の予備挟圧区間ＺＧでは、鋼板Ｗは予備挟圧ローラ対ＲＧにより挟圧されながら負荷冷却される（Ｓ１３）。
（５）予備挟圧区間ＺＧにおける挟圧が終了する（Ｓ１４）。
（６）制御部（不図示）は、挟圧区間ＺＰに配置された上側ローラＲ1を下降して鋼板Ｗを挟圧する（Ｓ１５）。
（７）鋼板ＷがＡＣ３変態点に到達し、ＡＣ３変態が開始する（Ｓ１６）。変態開始位置Ｐ１において、鋼板Ｗは挟圧されている。
（８）鋼板ＷのＡＣ３変態が終了する（Ｓ１７）。変態終了位置Ｐ２では、鋼板Ｗは挟圧されている。
（９）鋼板ＷのＡＣ３変態が終了した直後の上側ローラＲＢは下降されて鋼板Ｗを挟圧しており、上側ローラＲＢを通過したら挟圧領域が終了する（Ｓ１８）。
（１０）鋼板冷却装置１において、変態終了後の無負荷区間ＺＦでは、ローラ群２により搬送される鋼板Ｗは各ローラ対Ｒとの間に間隙Ｋが形成されていて、鋼板Ｗは無負荷冷却される（Ｓ１９）。
（１１）搬出ロール（不図示）により、鋼板Ｗが鋼板冷却装置１から搬出される（Ｓ２０）。
（１２）鋼板Ｗの冷却が終了する（Ｓ２１）。
【００５４】
次に、図７を参照して、鋼板冷却装置１Ａによる熱処理鋼板の製造工程における作用の概略を説明する。
第２の実施形態に係る熱処理鋼板の製造工程では、図７に示すように、鋼板Ｗが加熱炉１０から搬出されて冷却を開始する際に、変態開始位置Ｐ１〜変態終了位置Ｐ２までの変態領域において、鋼板Ｗを挟圧するローラ対Ｒよりも大きなロールピッチで配列された予備狭圧ロール対ＲＧで挟圧するので、予備狭圧ロール対ＲＧごとに発生する波ピッチはローラ対Ｒのロールピッチより大きく形成される。その結果、変態領域において、鋼板Ｗをローラ対Ｒにより挟圧することにより、鋼板Ｗを平坦にすることができる。
【００５５】
これは、発明者らがシミュレーション、実験等により検証した、ＡＣ３変態点以上に加熱された鋼板を冷却する際に、変態領域において挟圧するローラ対Ｒよりも大きなロールピッチで配列された予備狭圧ロール対ＲＧで挟圧した場合には、予備狭圧ロール対ＲＧごとに発生したローラ対Ｒのロールピッチより大きく形成された波により面外変形が生じるのを、ローラ対Ｒより挟圧することで効率的に抑制することができるとの知見に基づくものである。
【００５６】
すなわち、冷却を開始時に予備狭圧ロール対ＲＧで挟圧する場合、予備狭圧ロール対ＲＧのロールピッチが、変態領域において挟圧するローラ対Ｒのロールピッチと同一又は近い寸法のロールピッチに設定されていると、変位を内部応力に変換できないので変態塑性による応力緩和効果を得ることが困難となり、冷却初期に鋼板Ｗに生じた面外変形の変位を変態領域においてローラ対Ｒにより挟圧しても除去することが困難となる。
【００５７】
鋼板冷却装置１Ａによれば、変態開始位置Ｐ１の上流側に位置する予備挟圧ローラ対ＲＧのロールピッチが、挟圧に用いるローラ対Ｒのロールピッチよりも長く設定されているので、予備挟圧ローラ対ＲＧの挟圧に起因する面外変形がローラ対Ｒのロールピッチより大きなうねり状となり、変態領域においてローラ対Ｒにより挟圧することで効率的に平坦にすることができる。
【００５８】
なお、本発明は上記実施形態に限定されるものではなく、本発明の趣旨を逸脱しない範囲において種々の変更を加えることが可能である。
例えば、上記実施の形態においては、ローラ群２を構成するすべてのローラ対Ｒの上側ローラＲ１が独立して駆動可能な場合について説明したが、一部のローラ対Ｒの上側ローラＲ１が独立して駆動可能な構成としてもよい。また、ローラ群２Ａについても、一部のローラ対Ｒの上側ローラＲ１、一部の予備挟圧ローラ対ＲＧの上側ローラＲＧ１が独立して駆動可能な構成としてもよい。
【００５９】
また、上記実施の形態においては、挟圧区間ＺＰのすべての上側ローラＲ１が下降して鋼板Ｗを挟圧するとともに、無負荷区間ＺＦのローラ対Ｒのすべての上側ローラＲ１が上昇して鋼板Ｗを冷却する場合について説明したが、例えば、挟圧開始ローラＲＡに係る上側ローラＲ１を下降して鋼板Ｗの挟圧を開始し、変態終了位置Ｐ２よりも通板方向の下流側に位置するローラ対Ｒの上側ローラＲ１を下降することにより、変態領域より下流側の無負荷区間ＺＦ（全区間又は一部区間）において鋼板Ｗを挟圧する構成としてもよい。
【００６０】
また、上記実施の形態においては、鋼板Ｗの挟圧区間外に配置されたローラ対Ｒが鋼板Ｗとの間に間隙Ｋが形成される場合について説明したが、例えば、鋼板Ｗに対して上側ローラＲ１を接触させつつ（間隙Ｋを形成せず）挟圧力を付与しない無負荷とする設定としてもよい。
【００６１】
また、上記実施の形態においては、挟圧力が、上側ローラＲ1、ＲＧ１と下側ローラＲ２、ＲＧ２の相互間のギャップＧにより調整される場合について説明したが、例えば、挟圧する際に鋼板Ｗから受ける負荷（例えば、反力）等、ギャップＧ以外の数値により挟圧力を設定してもよい。
【００６２】
また、上記実施の形態においては、例えば、温度センサＴが検出した鋼板Ｗの温度から、変態開始位置Ｐ１及び変態終了位置Ｐ２を算出、推定して、挟圧区間ＺＰにおいて、鋼板Ｗの挟圧を実施する場合について説明したが、鋼材冷却装置内の通板方向における鋼材Ｗの温度が安定していて、鋼材冷却装置内における変態開始位置Ｐ１及び変態終了位置Ｐ２が一定している場合には、鋼材Ｗが通過するのを検出して、鋼板Ｗの挟圧を実施するにより構成してもよい。
また、ＡＣ３変態の開始を推定し又は確認可能な周知の手段や周知とされていない手段を本発明に適用してもよいことはいうまでもない。
【産業上の利用可能性】
【００６３】
この発明に係る熱処理鋼板の製造方法、鋼板冷却装置によれば、熱処理鋼板を冷却する際の面外変形の発生を抑制できるので、産業上利用可能である。
【符号の説明】
【００６４】
１、１Ａ  鋼板冷却装置
２、２Ａ  ローラ群
４  水冷ノズル
１０  加熱炉
Ｇ  ギャップ
Ｋ  間隙
Ｐ１  変態開始位置
Ｐ２  変態終了位置
Ｒ  ローラ対
ＲＧ  予備挟圧ローラ対
Ｒ１、ＲＧ１  上側ローラ（ローラ）
Ｒ２、ＲＧ２  下側ローラ（ローラ）
ＲＡ  挟圧開始ローラ
ＲＢ  挟圧終了ローラ
Ｊ  通板方向
Ｔ  温度センサ
ＺＦ  無負荷区間
ＺＧ  予備挟圧区間
ＺＰ  負荷区間
【図１】
2019183243.tif 000003
【図２】
2019183243.tif 000004
【図３】
2019183243.tif 000005
【図４】
2019183243.tif 000006
【図５】
2019183243.tif 000007
【図６】
2019183243.tif 000008
【図７】
2019183243.tif 000009